(57)【要約】【課題】製品の上面硬度を上げるために被膜されたＵＶインキの紫外線照射による硬化時の平滑性を良好にすることによってＵＶインキによる硬質被膜の光沢性を向上するようにした印刷基材の硬質被膜形成方法を提供する。【解決手段】印刷基材１又は剥離性フィルム３の少なくとも一方に透光性を有する材料を使用し、印刷基材１の面上にＵＶインキ２を塗布し、該ＵＶインキ２の塗布面に剥離性フィルム３を圧着した後、印刷基材１又は剥離性フィルム３のうち透光性を有する側から紫外線４を照射してＵＶインキ２を硬化し、その後、剥離性フィルム３を印刷基材１から剥離することにより、印刷基材１の面上に平滑な上面の硬質被膜５を形成する。【選択図】図１
2008093536.tif 000002
【特許請求の範囲】
【請求項１】
印刷基材又は剥離性フィルムの少なくとも一方に透光性を有する材料を使用し、前記印刷基材の面上にＵＶインキを塗布し、該ＵＶインキの塗布面に前記剥離性フィルムを圧着した後、前記印刷基材又は前記前記剥離性フィルムのうち透光性を有する側から紫外線を照射して前記ＵＶインキを硬化し、その後、前記剥離性フィルムを前記印刷基材から剥離することにより、前記印刷基材の面上に平滑な上面の硬質被膜を形成することを特徴とする印刷基材の硬質被膜形成方法。
【請求項２】
印刷基材又は剥離性フィルムの少なくとも一方に透光性を有する材料を使用し、ロール状に巻回した長尺の印刷基材を引き出し、該引き出した印刷基材の面上にＵＶインキをコーティングし、次いで前記ＵＶインキのコーティング面にロール巻きされた前記剥離性フィルムを引き出して圧着した後、前記印刷基材又は前記剥離性フィルムのうち透光性を有する側から紫外線を照射して前記ＵＶインキを硬化し、その後、前記剥離性フィルムを前記印刷基材から剥離することにより、前記印刷基材の面上に平滑な上面の硬質被膜を形成することを特徴とする印刷基材の硬質被膜形成方法。
【請求項３】
前記剥離性フィルムの前記ＵＶインキに対する付着面に成形用の凹凸模様を形成し、該凹凸模様が前記ＵＶインキの上面に形成されることを特徴とする請求項１又は２記載の印刷基材の硬質被膜形成方法。
【発明の詳細な説明】
【技術分野】
【０００１】
本発明は、印刷基材に被覆した紫外線硬化型インキ（本発明では「ＵＶインキ」と略称する）の上面を平滑に仕上げる印刷基材の硬質被膜形成方法に関する。
【背景技術】
【０００２】
例えば、ポリエステルやポリカーボネート等で作成されたプラスチック製品は、素材の性質上、上面硬度が低く、磨耗等によって傷付きやすいものである。このため、従来から、上記素材による製品の上面にＵＶインキを被覆することが行われている。このＵＶインキは、紫外線に反応する感光性樹脂で作られ、紫外線（ＵＶ光）を照射すると、瞬時で硬化してインキ被膜を硬化させ、これによって上面硬度を上げることが可能となる。
【０００３】
ところが、このＵＶインキは、硬化時のインキ被膜の収縮率が大きく、瞬間的な硬化によって、ＵＶインキが平滑になる前に硬化し、その上面に凹凸の荒れが生じ、光がインキ上面で乱反射されるため、光沢性に欠けるという問題があった。
【０００４】
このような問題を解消する従来技術として、特許文献１を参照すると、この文献の発明は、非反射性又は乱反射性を有する基材の上面に、紫外線硬化型インキを用いて、文字、図形等よりなる所定の意匠を印刷形成することを特徴とし、紫外線を照射することにより、紫外線硬化型インキの上面を滑らかな仕上がりとするようにしたものである。
【０００５】
ところが、この発明においては、紫外線硬化型インキの上面は、従来と同様に開放された状態で紫外線照射による硬化を行うものであるため、インキの上面が滑らかな仕上がりになるとはいっても、その上面には硬化時のインキ被膜の収縮によって凹凸の荒れが生じ、光沢性を失うという問題は解消されていない。
【特許文献１】特開平７−２０５３４５号公報
【発明の開示】
【発明が解決しようとする課題】
【０００６】
本発明は、以上の事情に鑑みてなされたもので、製品の上面硬度を上げるために塗布されたＵＶインキの紫外線照射による硬化時の平滑性を良好にすることによって、ＵＶインキによる硬質被膜の光沢性を向上するようにした印刷基材の硬質被膜形成方法を提供することを目的とする。
【課題を解決するための手段】
【０００７】
上記の目的を達成するために、本発明の請求項１による印刷基材の硬質被膜形成方法は、印刷基材又は剥離性フィルムの少なくとも一方に透光性を有する材料を使用し、前記印刷基材の面上にＵＶインキを塗布し、該ＵＶインキの塗布面に前記剥離性フィルムを圧着した後、前記印刷基材又は前記剥離性フィルムのうち透光性を有する側から紫外線を照射して前記ＵＶインキを硬化し、その後、前記剥離性フィルムを前記印刷基材から剥離することにより、前記印刷基材の面上に平滑な上面の硬質被膜を形成することを特徴とする。
【０００８】
また、本発明の請求項２による印刷基材の硬質被膜形成方法は、印刷基材又は剥離性フィルムの少なくとも一方に透光性を有する材料を使用し、ロール状に巻回した長尺の印刷基材を引き出し、該引き出した印刷基材の面上にＵＶインキをコーティングし、次いで前記ＵＶインキのコーティング面にロール巻きされた前記剥離性フィルムを引き出して圧着した後、前記印刷基材又は前記剥離性フィルムのうち透光性を有する側から紫外線を照射して前記ＵＶインキを硬化し、その後、前記剥離性フィルムを前記印刷基材から剥離することにより、前記印刷基材の面上に平滑な上面の硬質被膜を形成することを特徴とする。
【０００９】
さらに、本発明の請求項３による印刷基材の硬質被膜形成方法は、請求項１又は２において、前記剥離性フィルムの前記ＵＶインキに対する付着面に成形用の凹凸模様を形成し、該凹凸模様が前記ＵＶインキの上面に形成されることを特徴とする。
【発明の効果】
【００１０】
本発明における印刷基材の硬質被膜形成方法によれば、剥離性フィルムがＵＶインキの上面に密着している状態で紫外線照射による瞬間硬化を行うため、ＵＶインキに密着している剥離性フィルムの平滑性により、ＵＶインキの上面に凹凸の収縮が生じるのを防止し、上面を平滑に仕上げることが可能となる。また、ＵＶインキが硬化するまで、ＵＶインキの上面に剥離性フィルムが付着されているため、ＵＶインキにゴミ等が付着するのを防止することができる。そして、剥離性フィルムを印刷基材から剥離することによって、ゴミ付着のない、平滑な上面の硬質被膜を形成することができる。
【００１１】
また、本発明の方法によれば、印刷基材の上面に平滑で硬質の被膜を形成する作業を迅速に行うことができ、そのような硬質被膜で被覆された製品は、上面が硬質であり、磨耗キズ等が発生し難く、且つ平滑であり、良好な光沢性を発揮することが可能となる。
【００１２】
また、本発明方法において、剥離性フィルムのＵＶインキに対する付着面に、成形用の凹凸模様を形成し、この凹凸模様の成形面側をＵＶインキの上面に圧着し、紫外線を照射することにより、硬化したＵＶインキの上面に上記の凹凸模様を転写することが可能となる。
【発明を実施するための最良の形態】
【００１３】
以下、本発明の実施例について図面を参照しながら説明する。
【実施例１】
【００１４】
本実施例における印刷基材１の硬質被膜形成方法は、シート状の印刷基材１にＵＶインキ２による平滑な上面の硬質被膜５を形成するものである。
【００１５】
その具体的方法について説明すると、図１(ａ)に示すように、印刷基材１の面上に、スクリーン印刷等によりＵＶインキ２を塗布する。印刷基材１としては、ポリエステル、ポリカーボネート、ポリアセテート等の合成樹脂材料のほか、他の合成樹脂材料、さらには紙材料、金属材料を使用してもよい。また、ＵＶインキ２は、用途によって、色彩を有するもの、又は透明のものを使用する。その印刷内容は、文字、図形等、目的に応じて、所定の形状、或いは文字を印刷することとなる。
【００１６】
次いで、図１(ｂ)に示すように、上記のＵＶインキ２の塗布面に剥離性フィルム３を圧着する。本発明においては、紫外線をＵＶインキ２に照射することから、印刷基材１又は剥離性フィルム３の少なくとも一方に透光性を有する材料を使用する必要がある。硬化前のＵＶインキ２は粘着性を有し、ＵＶインキ２に剥離性フィルム３を圧着することにより、剥離性フィルム３はＵＶインキ２の上面に密着する。
【００１７】
なお、上記の剥離性フィルム３は、本発明においては、従来周知の剥離紙又は剥離フィルムのいずれをも含むものである。従って、グラシン紙、コート紙、ラミネート紙等の紙及び紙を主体とする複合素材の少なくとも片面に剥離性能を持つ剥離剤を塗布したもの、ポリエステル、ポリプロピレン等のフィルム状合成樹脂を使用したものの他、硬化したＵＶインキ２に対して剥離性を有するものであれば使用可能である。ただし、ＵＶインキ２に付着する面は平滑性を有する必要がある。
【００１８】
次に、図１(ｃ)に示すように、上記の印刷基材１又はＵＶインキ２のうち透光性を有する側から紫外線照射装置４ａによる紫外線４を照射してＵＶインキ２を硬化する。即ち、剥離性フィルム３が透明である場合は剥離性フィルム３の上方から紫外線４を照射し、又は剥離性フィルム３が透明でない場合は印刷基材１に透明の材料を使用して、図２に示すように、この印刷基材１の下方から紫外線４を照射する。なお、剥離性フィルム３と印刷基材１の両方が透明である場合は、通常の紫外線照射に従って剥離性フィルム３の上方から紫外線４を照射するとよい。
【００１９】
この紫外線照射によるＵＶインキ２の硬化は瞬時に行われる。このとき、従来のように、ＵＶインキ２に剥離性フィルム３を付着していない状態であれば、硬化したＵＶインキ２の上面にＵＶインキ２の収縮による凹凸の荒れが生じる。本実施例においては、剥離性フィルム３がＵＶインキ２の上面に密着していることにより、ＵＶインキ２の上面に収縮による凹凸が生じるのを防止し、ＵＶインキ２の上面を平滑にすることができる。
【００２０】
上記の方法によって、ＵＶインキ２の上面はすでに平滑の状態で硬化していることになる。その後、図１(ｄ)に示すように、剥離性フィルム３を印刷基材１から剥離することによって、平滑な上面の硬質被膜５を得る。また、そのように硬化したＵＶインキ２の上面は、剥離性フィルム３が付着している状況下で硬化したものであるから、ゴミ等の付着を完全に防止し、ＵＶインキ２の上面が平滑性を有することと併せて、良好な光沢性を発揮することができる。
【００２１】
また、本実施例の方法において、剥離性フィルム３のＵＶインキ２に対する付着面に、ヘアライン、スピン模様等の成形用の凹凸模様を形成し、この凹凸模様の成形面側をＵＶインキ２の上面に圧着し、上記のように紫外線４を照射することにより、硬化したＵＶインキ２の上面に上記の凹凸模様を転写することが可能となり、この方法でも、硬化したＵＶインキ２の上面は、凹凸模様以外の部分において平滑となる。
【実施例２】
【００２２】
本実施例における印刷基材１の硬質被膜形成方法は、ロール状に巻回した長尺の印刷基材１にＵＶインキ２による平滑な上面の硬質被膜５を形成するものである。
【００２３】
本実施例に使用する印刷基材１、ＵＶインキ２、剥離性フィルム３の材質等は実施例１と同様であるため、説明を省略する。その具体的方法は、図３(ａ)に示すように、ロール状に巻回した長尺の印刷基材１をロール６から引き出す。そして、引き出した印刷基材１の面上にＵＶインキ２をローラ７によりコーティングする。さらに、ＵＶインキ２のコーティング面にロール巻きされた長尺の剥離性フィルム３を引き出してローラ８を使用した圧着によりラミネートする。これによって、ＵＶインキ２のコーティング面に長尺の剥離性フィルム３が密着する。この状態で、印刷基材１又は剥離性フィルム３のうち透光性を有する側から紫外線照射装置４ａによる紫外線４を照射するとＵＶインキ２が瞬時に硬化する。
【００２４】
本実施例においても、剥離性フィルム３がＵＶインキ２の上面に密着していることにより、ＵＶインキ２の上面に収縮による凹凸が生じるのを防止し、ＵＶインキ２の上面を平滑にすることができる。その後、剥離性フィルム３を印刷基材１から剥離することによって、平滑な上面の硬質被膜５を得ることができ、ゴミ等の付着を完全に防止し、ＵＶインキ２の上面が平滑性を有することと併せて、良好な光沢性を発揮することとなる。
【００２５】
なお、上記の実施例１及び２においては、ＵＶインキ２の紫外線照射による硬質被膜形成方法について説明してあるが、ＵＶインキ２の代わりに油性インキ等の溶剤インキを使用した場合でも、この溶剤インキの上面に剥離性フィルム３が密着するため、上記と同様に、インキの硬化時に、インキの上面の収縮による変形が防止され、平滑な上面の硬質被膜５を得ることができる。
【００２６】
本実施例の方法においても、実施例１と同様に、剥離性フィルム３のＵＶインキ２に対する付着面に、ヘアライン、スピン模様等の成形用の凹凸模様を形成し、この凹凸模様の成形面側をＵＶインキ２の上面に圧着し、上記のように紫外線４を照射することにより、硬化したＵＶインキ２の上面に上記の凹凸模様を転写することが可能となり、この方法でも、硬化したＵＶインキ２は、凹凸模様以外の部分において平滑となる。
【産業上の利用可能性】
【００２７】
本発明の印刷基材の硬質被膜形成方法は、ＵＶインキの紫外線照射による硬化時の上面を平滑にすることによってＵＶインキによる硬質被膜の光沢性を向上するようにした印刷基材の硬質被膜形成方法として利用することが可能である。
【図面の簡単な説明】
【００２８】
【図１】(ａ)〜(ｄ)は、本発明の実施例１に係るシート状の印刷基材にＵＶインキの紫外線照射による硬質被膜形成方法を主な工程順に示す断面図である。
【図２】本発明の実施例１に係る印刷基材の硬質被膜形成方法を示す断面図であり、印刷基材の下方から紫外線照射を行う状況を示す。
【図３】本発明の実施例２に係るロール状の印刷基材にＵＶインキの紫外線照射による硬質被膜形成方法を示す概略図である。
【符号の説明】
【００２９】
１  印刷基材
２  ＵＶインキ
３  剥離性フィルム
４  紫外線
４ａ  紫外線照射装置
５  硬質被膜
６  ロール
７  ローラ
８  ローラ
【図１】
2008093536.tif 000003
【図２】
2008093536.tif 000004
【図３】
2008093536.tif 000005